【手続補正書】
【提出日】平成20年6月20日(2008.6.20)
【手続補正１】
【補正対象書類名】特許請求の範囲
【補正対象項目名】全文
【補正方法】変更
【補正の内容】
【特許請求の範囲】
【請求項１】
少なくとも１つの入力手段（１０）、少なくとも１つの入力取得ユニット（２０）およびコンピュータ（３０）を含む急速入力装置であって、少なくとも１つの入力手段（１０）は、空間から見た自身の位置に基づいて少なくとも１つの点（Ｐ）を決め、点（Ｐ）の座標は、少なくとも１つの入力取得ユニット（２０）の中で電気信号に変換され、複数の点（Ｐ）から少なくとも１つのデータ量（Ｍ）を形成するとともに前記入力を形成し、少なくとも１つの入力取得ユニット（２０）は前記コンピュータ（３０）と接続され（２５）、前記手段は少なくとも１つのデータ量（Ｍ）のデータ処理用前記コンピュータの中に与えられ、前記入力取得ユニット（２０）のコンピュータ（３０）への前記接続（２５）は、無線方式でまたはケーブルを介して実現され、入力要素が８方向への入力のために提供されることによって、前記入力要素は１ストロークのレベルに配置され、前記入力は、ストロークの長さの機能として段階的に提供されることを特徴とする急速入力装置。
【請求項２】
請求項１に記載の急速入力装置であって、入力要素が少なくとも９方向とそれらの組み合わせで与えられるため、コンピュータの機能は、これらの８方向、またはそれらの組み合わせと関連付けられることを特徴とする前記急速入力装置。
【請求項３】
請求項２に記載の急速入力装置であって、前記機能は、メニューウインドウの寸法決定と位置の移動と、メニューウインドウにおけるズーミングとスクロール動作であることを特徴とする前記急速入力装置。
【請求項４】
請求項２に記載の急速入力装置であって、前記機能は、ＰＡＧＥ  ＵＰ，ＰＡＧＥ  ＤＯＷＮ，ＨＯＭＥ，ＥＮＤ，ＩＮＳＥＲＴ，ＤＥＬＥＴＥ，ＳＨＩＦＴ，ＢＡＣＫＳＰＡＣＥ，ＲＥＴＵＲＮ，ＤＥＬＥＴＥ；ｆｌｕｓｈ  ｌｅｆｔ，ｆｌｕｓｈ  ｒｉｇｈｔ，ｃｅｎｔｅｒｅｄ，ｇｒｏｕｐｅｄ  ｓｔｙｌｅ，ｔａｂｕｌａｔｏｒを含むことを特徴とする前記急速入力装置。
【請求項５】
請求項２に記載の急速入力装置であって、色彩部分に対する前記機能は、ｂｌａｃｋ，ｗｈｉｔｅ，ｔｒａｎｓｐａｒｅｎｔ，ｒｅｄ／ｍａｇｅｎｔａ，ｂｌｕｅ／ｃｙａｎｏ，ｙｅｌｌｏｗ／ｙｅｌｌｏｗであり、オブジェクトに対しては、ｌｉｎｅ，ｓｏｌｉｄｉｔｙ，ｔｅｘｔ；ｒｏｔａｔｉｎｇ  ａｒｏｕｎｄ  ｅａｃｈ  ａｘｉｓ，ｎｅａｒｅｒ，ｆａｒｔｈｅｒ、そして線に対しては、ｔｙｐｅ，ｔｈｉｃｋ，ｔｈｉｎ，ｎｏｒｍａｌ，ｔｈｉｃｋｅｒ，ｔｈｉｎｎｅｒ；であることを特徴とする前記急速入力装置。
【請求項６】
請求項２に記載の急速入力装置であって、前記機能は、音響データファイルの属性であることと、前記機能は前記属性の処理に対して与えられることとを特徴とする前記急速入力装置。
【請求項７】
請求項２に記載の急速入力装置であって、前記機能は、前記属性を処理する目的のためデータファイルの比較に対して与えられることを特徴とする前記急速入力装置。
【請求項８】
請求項１から請求項７の１つに記載の急速入力装置であって、前記入力は、筋肉の動きによって影響を受けうることを特徴とする前記急速入力装置。
【請求項９】
請求項１から請求項８の１つに記載の急速入力装置であって、少なくとも１つの点（Ｐ）は、座標（ｘ，ｙ，ｚ，ｔ）を有することを特徴とする前記急速入力装置。
【請求項１０】
請求項１から請求項９の１つに記載の急速入力装置であって、前記入力手段（１０）は、少なくとも物体、望ましくはその先端が少なくとも１つの点Ｐ（ｘ，ｙ，ｚ，ｔ）を決める少なくともスタイラスであることを特徴とする前記急速入力装置。
【請求項１１】
請求項１から請求項１０の１つに記載の急速入力装置であって、前記入力手段（１０）は、少なくとも１つの点Ｐ（ｘ，ｙ，ｚ，ｔ）を決める少なくとも指であることを特徴とする前記急速入力装置。
【請求項１２】
請求項１から請求項１１の１つに記載の急速入力装置であって、前記入力手段（１０）は、その先端が少なくとも１つの点Ｐ（ｘ，ｙ，ｚ，ｔ）を決める少なくとも指または一組の指、または、物体、望ましくはスタイラスであることを特徴とする前記急速入力装置。
【請求項１３】
請求項１から請求項１２の１つに記載の急速入力装置であって、前記入力手段（１０）は、少なくとも１つの点Ｐ（ｘ，ｙ，ｚ，ｔ）を決める前記手の指、鼻または足指であることを特徴とする前記急速入力装置。
【請求項１４】
請求項１から請求項１３の１つに記載の急速入力装置であって、前記入力手段（１０）が指ぬきを付けた指であるため、前記指ぬきの前記先端は前記点Ｐ（ｘ，ｙ，ｚ，ｔ）を決めることを特徴とする前記急速入力装置。
【請求項１５】
請求項１から請求項１４の１つに記載の急速入力装置であって、前記入力取得ユニット（２０）は、前記入力手段（１０）の中に統合されるとともに、点（Ｐ）の座標を決めるために与えられる少なくとも３つの加速度計（２９）が装備されることを特徴とする前記急速入力装置。
【請求項１６】
請求項１から請求項１４の１つに記載の急速入力装置であって、前記入力取得ユニット（２０）は、前記入力面（２２）の中に固定されるように搭載されるダイナモメータ（３２）を有し、前記ダイナモメータ（３２）はガイド部（３５）が取り付けられたシャフト（３３）を有し、先端（１１）がガイド部（３５）の中で動く入力手段としてスタイラス（１０）が与えられる結果として、前記点（Ｐ）の座標を決めるためにこれらの動きが与えられることを特徴とする前記急速入力装置。
【請求項１７】
請求項１から請求項１４の１つに記載の急速入力装置であって、前記入力取得ユニット（２０）は、前記入力面（２２）の上に固定されるように搭載される少なくとも１つのダイナモメータ（３２）を有し、少なくとも１つのダイナモメータ（３２）は、シャフト（３３）の上に取り付けられるガイド部（３６）が追加されるシャフト（３３）を有し、その先端が追加されるガイド部（３６）の上に乗る入力手段として少なくとも１つの指（１０）が与えられる結果として、前記点（Ｐ）の座標を決めるために前記少なくとも１つの指の動きが与えられることを特徴とする前記急速入力装置。
【請求項１８】
請求項１から請求項１４の１つに記載の急速入力装置であって、前記入力取得ユニット（２０）は、ダイナモメータ（３２）と少なくとも１つのキー（２８）を有し、入力手段（１０）として少なくとも１つの指または指と物体、望ましくはスタイラスが与えられているため、少なくとも１つの点（Ｐ）の座標を決めるために前記入力手段（１０）の動きが与えられることを特徴とする前記急速入力装置。
【請求項１９】
請求項１６から請求項１８の１つに記載の急速入力装置であって、前記ダイナモメータ（３２）は、小型のジョイスティックの形でつくられることを特徴とする前記急速入力装置。
【請求項２０】
請求項１から請求項１９の１つに記載の急速入力装置であって、前記入力取得ユニットは、少なくとも２つのカメラ（２０、２０’、２０”）、望ましくは赤外線カメラを有し、入力手段として指（１０）が与えられるため、前記点（Ｐ）の座標を決めるために前記指の動きが与えられることを特徴とする前記急速入力装置。
【請求項２１】
請求項１から請求項１９の１つに記載の急速入力装置であって、前記入力取得ユニット（２０）は、少なくとも３つの超音波受信器モジュール（３９、３９’、３９”）を有し、入力手段（１０）として物体、望ましくは超音波送信器モジュール（３８）が統合されたスタイラスが与えられているため、前記点（Ｐ）の座標を決めるために前記入力手段（１０）の動きが与えられることを特徴とする前記急速入力装置。
【請求項２２】
請求項１０に記載の急速入力装置であって、前記物体、望ましくはスタイラスは、手、腕、口または足を導くために与えられることを特徴とする前記急速入力装置。
【請求項２３】
請求項１から請求項２２の１つに記載の急速入力装置であって、少なくとも１つの点（Ｐ）は、座標（ｘ，ｙ，ｔ）を表示することを特徴とする前記急速入力装置。
【請求項２４】
請求項１に記載の急速入力装置であって、入力要素が８方向で与えられるため、前記８方向の１つは各母音と関連付けられることを特徴とする前記急速入力装置。
【請求項２５】
請求項１に記載の急速入力装置であって、入力要素が８方向で与えられるため、前記８方向の１つは最大８つの選択した子音と関連付けられることを特徴とする前記急速入力装置。
【請求項２６】
請求項１に記載の急速入力装置であって、入力要素が８方向で与えられるため、前記８方向の１つは無記号のタップと関連付けられることを特徴とする前記急速入力装置。
【請求項２７】
請求項１に記載の急速入力装置であって、前記機能は、入力の取り消しと復活であることを特徴とする前記急速入力装置。
【請求項２８】
請求項１に記載の急速入力装置であって、前記機能は、ＣＯＰＹ，ＰＡＳＴＥ，ＣＵＴ，ＣＬＥＡＲ，ＣＵＲＳＯＲ  ＵＰ，ＣＵＲＳＯＲ  ＤＯＷＮ，ＣＵＲＳＯＲ  ＬＥＦＴ，ＣＵＲＳＯＲ  ＲＩＧＨＴ，ＣＯＮＴＲＯＬ，ＡＬＴ，ＡＬＴ  ＧＲ，ＦＵＮＣＴＩＯＮ，ＯＰＴＩＯＮ，ＥＳＣＡＰＥ，ＯＰＥＮ，ＣＬＯＳＥ，ＳＨＩＦＴ，ＲＥＴＵＲＮ，ＤＥＬＥＴＥ，Ｆ１からＦ１２、ウインドウズ用のＭＩＮＩＭＩＺＩＮＧ，ＭＡＸＩＭＩＺＩＮＧ，ＲＥＳＴＯＲＩＮＧ，ＣＬＯＳＩＮＧおよびダイアログ・ウインドウズ用のＹＥＳ，ＮＯ，ＡＢＯＲＴ，ＣＨＡＮＧＥであることを特徴とする前記急速入力装置。
【請求項２９】
請求項１に記載の急速入力装置であって、再生装置と記録装置用の前記機能は、ＰＬＡＹ，ＰＡＵＳＥ，ＳＴＯＰ，ＲＥＣＯＲＤ，ＦＯＲＷＡＲＤ，ＢＡＣＫＷＡＲＤ，ＮＥＸＴ  ＴＲＡＣＫ，ＰＲＥＶＩＯＵＳ  ＴＲＡＣＫ，ＦＩＲＳＴ  ＴＲＡＣＫ，ＬＡＳＴ  ＴＲＡＣＫおよびＶＯＬＵＭＥを含むことを特徴とする前記急速入力装置。
【請求項３０】
ライティング装置、特に急速ライティング装置用のために請求項１から請求項２９の１つに記載の前記急速入力装置を使用すること。
【請求項３１】
リハビリテーション中に請求項１から請求項２９の１つに記載の前記急速入力装置を使用すること。
【請求項３２】
コンピュータを使用した仕事のために請求項１から請求項２９の１つに記載の前記急速入力装置を使用すること。
【請求項３３】
電子音楽用機器の一部として、請求項１から請求項２９の１つに記載の前記急速入力装置を使用すること。
【請求項３４】
電子描画装置の一部として、請求項１から請求項２９の１つに記載の前記急速入力装置を使用すること。
【請求項３５】
汎用入力装置として、請求項１から請求項２９の１つに記載の前記急速入力装置を使用すること。
【請求項３６】
請求項１から請求項２９の１つに記載の急速入力装置を使用するための方法であって、少なくとも１つの入力手段（１０）を用いて少なくとも１つの入力取得ユニット（２０）の中に少なくとも１つの点（Ｐ）の座標が発生し、時間の経過にともない、前記電気信号により少なくとも１つのデータ量（Ｍ）が形成されると、前記データ量が無線で、またはケーブル接続を介してコンピュータ（３０）に送られ、前記データ処理手段を用いて前記データ量（Ｍ）がコンピュータ（３０）の中で処理されて、出力手段に対して利用可能状態に維持されることを特徴とする方法。
【請求項３７】
請求項３６に記載の方法であって、入力手段（１０）として物体、望ましくはスタイラス、または少なくとも１つの指を用い、少なくとも１つのキー（２８）を介し、少なくとも１つのダイナモメータ（３２）を介し、少なくとも３つの分度器を介し、少なくとも３つの加速度計（２９）を介し、タッチセンシティブ入力面（２２）を介し、および少なくとも１つの超音波送信器モジュール３８を介し、あるいは、それらのいずれかを介して前記入力が実行されるため、少なくとも入力取得ユニット（２０）の中で少なくとも１つの点（Ｐ）の座標が発生することを特徴とする前記方法。